(57)【要約】【課題】外部スピーカを使用する場合に外部スピーカ用のアンプを必要としない音声出力装置を提供すること。【解決手段】本発明の一態様に係る音声出力装置は、外部スピーカを接続する端子を備えた本体部と、端子を覆うとともに本体部へ着脱可能に接続されるスピーカ部と、音声信号を増幅して端子およびスピーカ部へ入力する増幅部と、を具備する。【選択図】図１Ａ
2011035529.tif 000002
【特許請求の範囲】
【請求項１】
外部スピーカを接続する端子を備えた本体部と、
前記端子を覆うとともに前記本体部へ着脱可能に接続されるスピーカ部と、
音声信号を増幅して前記端子および前記スピーカ部へ入力する増幅部と、
を具備することを特徴とする音声出力装置。
【請求項２】
前記スピーカ部は、低音用スピーカおよび高音用スピーカを有し、
前記増幅部は、前記低音用スピーカへ入力する音声信号を増幅する第１の増幅器と、前記高音用スピーカへ入力する音声信号を増幅する第２の増幅器とを有し、
前記端子は、前記第１の増幅器または前記第２の増幅器の後段に設けられることを特徴とする請求項１に記載の音声出力装置。
【請求項３】
前記第１の増幅器へ入力する音声信号のうち低音域成分を通過させる第１のフィルタと、
前記第２の増幅器へ入力する音声信号のうち高音域成分を通過させる第２のフィルタと、
前記スピーカ部の接続状態に応じて、前記第１のフィルタまたは前記第２のフィルタの一方をオフする制御部と、
を有する音声信号処理部をさらに具備したことを特徴とする請求項２に記載の音声出力装置。
【請求項４】
前記スピーカ部の接続状態を設定する設定部をさらに具備し、
前記制御部は、
前記設定部での設定に基づいて、前記第１のフィルタまたは前記第２のフィルタの一方をオフすることを特徴とする請求項３に記載の音声出力装置。
【請求項５】
前記外部スピーカの接続状態を検知する検知部をさらに具備し、
前記制御部は、
前記検知部からの検知信号に基づいて、前記第１のフィルタまたは前記第２のフィルタの一方をオフすることを特徴とする請求項３に記載の音声出力装置。
【請求項６】
前記スピーカ部は、
前記前記本体部と着脱可能に接続される接続部材を含み、前記接続部材が、前記端子を覆うことを特徴とする請求項１に記載の音声出力装置。
【発明の詳細な説明】
【技術分野】
【０００１】
本発明は、外部スピーカの接続端子を備えた音声出力装置に関する。
【背景技術】
【０００２】
従来の音声出力装置には、映像を表示する表示部を支持するスタンドの内部にスピーカを配置したものがある（特許文献１）。
【先行技術文献】
【特許文献】
【０００３】
【特許文献１】特表２００３−５１８３４５号公報
【発明の概要】
【発明が解決しようとする課題】
【０００４】
しかしながら、従来の音声出力装置は、外部スピーカの使用については考慮されていない。このため、外部スピーカを接続して音声を出力する場合、外部スピーカ用のアンプ（増幅器）が新たに必要となる。
【０００５】
本発明は、かかる従来の問題を解消すべくなされたもので、外部スピーカを使用する場合に外部スピーカ用のアンプを必要としない音声出力装置を提供することを目的とする。
【課題を解決するための手段】
【０００６】
本発明の一態様に係る音声出力装置は、外部スピーカを接続する端子を備えた本体部と、端子を覆うとともに本体部へ着脱可能に接続されるスピーカ部と、音声信号を増幅して端子およびスピーカ部へ入力する増幅部と、を具備する。
【発明の効果】
【０００７】
本発明によれば、外部スピーカを使用する場合に外部スピーカ用のアンプを必要としない音声出力装置を提供できる。
【図面の簡単な説明】
【０００８】
【図１Ａ】第１の実施形態に係る音声出力装置の正面図である（接続時）。
【図１Ｂ】第１の実施形態に係る音声出力装置の裏面図である（接続時）。
【図２Ａ】第１の実施形態に係る音声出力装置の正面図である（分離時）。
【図２Ｂ】第１の実施形態に係る音声出力装置の裏面図である（分離時）。
【図３】ＳＴＢの構成を示す図である。
【図４】第１の実施形態に係る音声信号の処理系統の構成を示す図である。
【図５】第１の実施形態に係る音声出力装置の動作を示すフローチャートである。
【図６Ａ】比較例に係る音声信号の処理系統の構成を示す図である。
【図６Ｂ】比較例に係る音声信号の処理系統の構成を示す図である。
【図７Ａ】比較例に係るトランジェント特性を示す図である。
【図７Ｂ】比較例に係るトランジェント特性を示す図である。
【図７Ｃ】比較例に係るトランジェント特性を示す図である。
【図８Ａ】第１の実施形態に係るトランジェント特性を示す図である。
【図８Ｂ】第１の実施形態に係るトランジェント特性を示す図である。
【図８Ｃ】第１の実施形態に係るトランジェント特性を示す図である。
【発明を実施するための形態】
【０００９】
以下、図面を参照して、本発明の実施形態を詳細に説明する。
（第１の実施形態）
図１Ａ、１Ｂは、第１の実施形態に係る音声出力装置１０の正面図および裏面図である（接続時）。図２Ａ、２Ｂは、第１の実施形態に係る音声出力装置１０の正面図および裏面図である（分離時）。
【００１０】
音声出力装置１０は、ＳＴＢ（Set top box）１０Ａ、スピーカ部１０Ｂ、表示部１０Ｃ、スタンド１０Ｅを具備する。ＳＴＢ１０Ａは、図示しないアンテナから入力される放送局等の放送信号をデコードして映像信号および音声信号を生成する。ＳＴＢ１０Ａは、生成した映像信号および音声信号、もしくは外部の記憶再生装置（再生装置含む）２１から入力される映像信号および音声信号をスピーカ部１０Ｂおよび表示部１０Ｃへそれぞれ入力する。また、ＳＴＢ１０Ａは、外部スピーカを使用する際に、該外部スピーカを接続する端子Ｏ１、Ｏ２（接続端子）を備える。
【００１１】
スピーカ部１０Ｂは、ステレオ音声再生用のウーハー（Woofer）Ｗ１、Ｗ２（低音用スピーカ）とツィータ（Tweeter）Ｔ１、Ｔ２（高音用スピーカ）を具備する２ウェイスピーカである。ウーハーＷ１とツィータＴ１、およびウーハーＷ２とツィータＴ２は、一体的に形成されたスピーカボックスの左側および右側にそれぞれ配置される。スピーカ部１０Ｂが具備するウーハーＷ１、Ｗ２およびツィータＴ１、Ｔ２は、ＳＴＢ１０Ａより入力される音声信号（ステレオ音声信号またはモノラル音声信号）に基づいて音声を出力する。
【００１２】
スピーカ部１０Ｂは、端子Ｏ１、Ｏ２を覆うとともに本体部（ＳＴＢ１０Ａおよび表示部１０Ｃ）へ該スピーカ部１０Ｂを着脱可能に接続する接続部材１０Ｄを有する。接続部材１０Ｄは、透明アクリル板ｄ１と、２本の細い金属ステーｄ２とを組み合わせてスピーカ部１０ＢをＳＴＢ１０Ａへと接続する。これによりスピーカ部１０Ｂが本体部（ＳＴＢ１０Ａおよび表示部１０Ｃ）から浮いたように見える。また強度的に強い構造になる。
【００１３】
スピーカ部１０ＢをＳＴＢ１０Ａに接続している場合（スピーカ部１０Ｂを使用している場合）、端子Ｏ１、Ｏ２は、接続部材１０Ｄにより覆われるため、外部スピーカを接続することができない。スピーカ部１０ＢをＳＴＢ１０Ａに接続していない場合（スピーカ部１０Ｂを使用していない場合）、端子Ｏ１、Ｏ２は、露出するので外部スピーカを接続することができる。
【００１４】
ＳＴＢ１０Ａとスピーカ部１０Ｂとはコネクタにより接続され、ＳＴＢ１０Ａからスピーカ部１０Ｂが有するウーハーＷ１、Ｗ２とツィータＴ１、Ｔ２へ音声信号が伝達される。また、コネクタを接続すると、スピーカ部１０Ｂの接続を検知するための配線が、スピーカ部１０Ｂ内で接地された配線と接続され、スピーカ部１０Ｂを接続していることが検知できるようになっている。なお、音声信号を伝達する配線とスピーカ部１０Ｂの接続を検知するための配線は、金属ステーｄ２の中を通してＳＴＢ１０Ａに接続される。これにより線材を綺麗に配線することができる。
【００１５】
表示部１０Ｃは、ＳＴＢ１０Ａから入力される映像信号に基づいて映像を表示する。スタンド１０Ｅは、ＳＴＢ１０Ａ、スピーカ部１０Ｂ、表示部１０Ｃを支持する。
【００１６】
記憶再生装置２１は、コンテンツを記憶・再生するＤＶＤ（Digital versatile disk）プレーヤまたはレコーダやＨＤＤ（Hard disk drive）レコーダ等である。記憶再生装置２１は、ＨＤＭＩやアナログ接続等の手段により音声出力装置１０と接続される。記憶再生装置２１は、再生するコンテンツ（例えば、映画やＰＶ（Promotion video）等）の映像信号、音声信号、制御信号を音声出力装置１０へ入力する。ＨＤＭＩでは、映像信号用、音声信号用、制御信号用のケーブルが一体化しているため配線を簡略化できる。
【００１７】
図３は、ＳＴＢ１０Ａの構成を示す図である。ＳＴＢ１０Ａは、選局部１０１、端子１０２、Ｉ／Ｆ１０３、分離部１０４、デコード部１０５、音声信号処理部１０６、増幅部１０７、リモコン受信部１０８を具備する。
【００１８】
選局部１０１は、アンテナで受信された放送信号から所望のチャンネルを選局する。選局部１０１は、選局した放送信号を復調してＴＳ（Transport stream）を生成する。
【００１９】
端子１０２は、記憶再生装置２１を接続するＨＤＭＩやアナログ入力端子等である。Ｉ／Ｆ（Inter face）１０３は、端子１０２に接続された記憶再生装置２１との間でデータの送受信や映像／音声信号を受けるためのインターフェースである。
【００２０】
分離部１０４は、選局部１０１で生成したＴＳから放送信号、ＳＩ／ＰＳＩ等を分離する。ＴＳは、放送信号，ＳＩ／ＰＳＩを含む多重化された信号である。放送信号は，例えば，ＭＰＥＧ−２の放送信号である。放送信号は、映像・音声のそれぞれを符号化した音声ＥＳ（Audio elementary stream）と映像ＥＳ（Video elementary stream）である。ＰＳＩは、ＴＳにどのようなプログラムが存在し、ＴＳに含まれる各ＥＳがどのプログラムに属しているかを記した情報である。また、ＳＩは、ＥＰＧ（Electric program guide）情報（番組情報）を含んでいる。
【００２１】
デコード部１０５は、分離部１０４で分離された音声ＥＳ、映像ＥＳをデコードして音声信号、映像信号を生成する。生成された音声信号は、音声信号処理部１０６へ入力される。生成された映像信号は、表示部１０Ｃへ入力される。表示部１０Ｃは、デコード部１０５から入力される映像信号、もしくは端子１０２を介して記憶再生装置２１から入力される映像信号に基づいて映像を表示する。
【００２２】
音声信号処理部１０６は、ＤＳＰ（Digital signal processor）等の回路により構成される。音声信号処理部１０６は、デコード部１０５もしくは端子１０２を介して記憶再生装置２１から入力される音声信号を処理し、スピーカ部１０Ｂが備えるツィータＴ１，Ｔ２と、ウーハーＷ１、Ｗ２、およびＳＴＢ１０Ａが備える端子Ｏ１、Ｏ２へ入力する。増幅部１０７は、音声信号処理部１０６から入力される音声信号を増幅する。
【００２３】
図４は、第１の実施形態に係る音声信号の処理系統の構成を示す図である。音声信号処理部１０６は、制御部１０６ａ、ミュート部１０６ｂ、検知部１０６ｃ、信号処理部１０６ｄ、ＨＰＦ（High pass filter）１０６ｅ、ＬＰＦ（Low pass filter）１０６ｆを具備する。増幅部１０７は、ＡＭＰ(Amplifier)１０７ａ、１０７ｂを具備する。
【００２４】
音声信号処理部１０６へ入力された音声信号は、ウーハー用およびツィータ用の２系統に分離される。分離された音声信号は、それぞれ信号処理部１０６ｄ、ＨＰＦ１０６ｅ、ＬＰＦ１０６ｆでの処理を経て、増幅部１０７のＡＭＰ１０７ａ、１０７ｂで増幅された後、スピーカ部１０Ｂおよび端子Ｏ１、Ｏ２へ入力される。
【００２５】
以下、音声信号処理部１０６および増幅部１０７の構成について詳細に説明する。
ミュート部１０６ｂは、制御部１０６ａからの指示に応じて、入力される音声信号をミュート（消音）する。つまり、ミュート部１０６ｂは、後段のＨＰＦ１０６ｅへの音声信号の出力を停止する。信号処理部１０６ｄは、入力される音声信号を処理する。具体的には、音量制御や音質設定（低音／高音の増幅／減衰）及びサラウンド等の処理を行う。
【００２６】
ＨＰＦ１０６ｅは、信号処理部１０６ｄから入力される音声信号のうち高音域成分（高周波成分）を通過させ、ＡＭＰ１０７ａへ入力する。ＬＰＦ１０６ｆは、信号処理部１０６ｄから入力される音声信号のうち低音域成分（低周波成分）を通過させ、ＡＭＰ１０７ｂへ入力する。ＡＭＰ１０７ａは、ＨＰＦ１０６ｅから入力される音声信号を増幅してツィータＴ１、Ｔ２へ入力する。ＡＭＰ１０７ｂは、ＬＰＦ１０６ｆから入力される音声信号を増幅してウーハーＷ１，Ｗ２および端子Ｏ１、Ｏ２へ入力する。
【００２７】
なお、ＨＰＦ１０６ｅおよびＬＰＦ１０６ｆは、ＦＩＲ型（Finite impulse response：有限インパルス応答）のフィルタであり、アナログフィルタでは近似的にしか実現できなかったリニアフェーズ（定遅延）特性が実現できる。リニアフェーズとは、位相特性がどの周波数に対しても直線となる特性のことである。つまり、全ての周波数成分が同じ時間だけ遅延するので、波形が乱れることなく忠実な波形の再現が可能となる。このため、フィルタ処理において位相遅れを考慮することなくシステム調整が可能である。なお、アナログフィルタとの比較結果を、図７Ａから図８Ｃを参照して後述する。
【００２８】
検知部１０６ｃは、スピーカ部１０Ｂの接続の有無を検知する。検知部１０６ｃには、スピーカ部１０Ｂの接続を検知するための配線が接続されている。検知部１０６ｃは、この配線に一定の電圧を印加し、該配線の電位を検知する。スピーカ部１０Ｂを接続している場合、つまり、ＳＴＢ１０Ａとスピーカ部１０Ｂとをコネクタで接続している場合、スピーカ部１０Ｂの接続を検知するための配線の一端が接地されるため、該配線の電位が変化（降下）する。検知部１０６ｃは、配線の電位に変化を検知してスピーカ部１０Ｂの接続の有無を検知している。
【００２９】
制御部１０６ａは、スピーカ部１０Ｂの接続の有無に応じて、ミュート部１０６ｂおよびＬＰＦ１０６ｆを制御する。スピーカ部１０Ｂの接続の有無は、検知部１０６ｃからの検知信号により認識する。なお、スピーカ部１０Ｂの接続状態を、後述するリモコン１０９で設定（記憶）できるように構成し、該設定（記憶）内容に基づいて、スピーカ部１０Ｂの接続の有無を確認してもよい。
【００３０】
スピーカ部１０Ｂを接続していない場合、外部スピーカから音声を出力する必要がある。このため、制御部１０６ａは、音声信号の出力を停止（ミュート）するようミュート部１０６ｂを制御する。また、制御部１０６ａは、音声信号をバイパス、つまり入力される音声信号をそのままＡＭＰ１０７ｂへ入力するようＬＰＦ１０６ｆのフィルタ機能をオフする。上記制御により、端子Ｏ１、Ｏ２に接続された外部スピーカからフィルタ処理されていない音声が出力される。
【００３１】
なお、スピーカ部１０Ｂを接続していない場合は、スピーカ部１０Ｂから音声が出力されることはないため、ミュート部１０６ｂを省略する構成としてもよい。しかし、ミュート部１０６ｂを具備することにより、ＳＴＢ１０Ａとスピーカ部１０Ｂと接続するコネクタや配線からの不要なノイズの放射を抑制できる。また、ＡＭＰ１０７ａの動作を制御部１０６ａで制御（ＡＭＰ１０７ａをオフする）しても、同様の効果を得ることができる。
【００３２】
スピーカ部１０Ｂを接続している場合、スピーカ部１０Ｂから音声を出力する必要がある。このため、制御部１０６ａは、音声信号のミュートを解除するようミュート部１０６ｂを制御する。また、制御部１０６ａは、信号処理部１０６ｄから入力される音声信号のうち低音域成分を通過させるようＬＰＦ１０６ｆを制御する。上記制御により、音声信号の低音域成分がウーハーＷ１、Ｗ２から出力され、音声信号の高音域成分がツィータＴ１、Ｔ２から出力される。なお、スピーカ部１０Ｂを接続している場合、端子Ｏ１、Ｏ２は、接続部材１０Ｄにより覆われてしまうため、外部スピーカを接続することはできない。このため、外部スピーカから音声が出力されることはない。
【００３３】
リモコン受信部１０８は、リモートコントローラ１０９（以下、リモコン１０９と称する）から赤外線等の無線により送信される操作信号を受信する。リモコン１０９は、「選択」キーや「決定」キーなど、音声出力装置１の操作に必要な各種キーを備える。ユーザは、リモコン１０９を使用して、記憶再生装置２１を操作したり、外部スピーカの接続の有無を設定する。
【００３４】
（動作の説明）
次に、第１の実施形態に係る音声出力装置１０の動作について説明する。図５は、第１の実施形態に係る音声出力装置１０の動作を示すフローチャートである。選局部１０１は、アンテナで受信された放送信号から所望のチャンネルを選局する（ステップＳ１０１）。選局部１０１は、選局した放送信号を復調してＴＳ（トランスポートストリーム）を生成する。
【００３５】
分離部１０４は、選局部１０１で生成したＴＳから放送信号、ＳＩ／ＰＳＩ等を分離する（ステップＳ１０２）。デコード部１０５は、分離部１０４で分離された音声ＥＳ、映像ＥＳをデコードして音声信号、映像信号を生成する（ステップＳ１０３）。分離部１０４は、生成した音声信号を音声信号処理部１０６へ入力する。また、分離部１０４は、生成した映像信号を表示部１０Ｃへ入力する。
【００３６】
音声信号処理部１０６の制御部１０６ａは、スピーカ部１０Ｂを接続しているかどうかを判定する（ステップＳ１０４）。スピーカ部１０Ｂを接続していない場合（ステップＳ１０４のＮｏ）、制御部１０６ａは、音声信号の出力を停止（ミュート）するようミュート部１０６ｂを制御する（ステップＳ１０５）。また、制御部１０６ａは、ＬＰＦ１０６ｆのフィルタ機能をオフ（バイパス）する（ステップＳ１０６）。
【００３７】
スピーカ部１０Ｂを接続している場合（ステップＳ１０４のＹｅｓ）、制御部１０６ａは、音声信号を出力（ミュート解除）するようミュート部１０６ｂを制御する（ステップＳ１０７）。また、制御部１０６ａは、信号処理部１０６ｄから入力される音声信号のうち低音域成分が通過するようにＬＰＦ１０６ｆのフィルタ機能をオン（バイパス解除）する（ステップＳ１０８）。
【００３８】
表示部１０Ｃおよびスピーカ部１０Ｂまたは外部スピーカは、入力される映像信号および音声信号に応じて、映像および音声を出力する（ステップＳ１０９）。なお、上記説明では、放送信号を選局する場合について説明したが、記憶再生装置２１で再生されるコンテンツ等を視聴する場合は、ステップＳ１０４から処理を開始する。
【００３９】
（比較例との比較）
図６Ａおよび図６Ｂは、比較例に係る音声信号の処理系統の構成を示す図である。図６Ａに示すように、比較例では、各スピーカ（図６Ａの場合、ツィータＴ１，Ｔ２およびウーハーＷ１，Ｗ２）に入力する音声信号を共通の（一つの）増幅器ＡＭＰで増幅している。増幅器ＡＭＰで増幅された音声信号は、リレーを介してスピーカ毎に分岐される。分岐された音声信号は、それぞれハイパスフィルタＨＰＦ−Ａ，ＨＰＦ−ＢおよびローパスフィルタＬＰＦ−Ａ，ＬＰＦ−Ｂを介して、ツィータＴ１，Ｔ２およびウーハーＷ１，Ｗ２へ入力される。
【００４０】
リレーを介して音声信号を出力することで、スピーカもしくは外部スピーカ端子Ｏ３，Ｏ４を切り換えて用いることができる。但しリレーは、ＡＭＰの出力電流を十分満たす性能を有する必要がある。また図６Ｂでは、各スピーカ（図６Ｂの場合、ツィータＴ１，Ｔ２およびウーハーＷ１，Ｗ２）に信号を入力するＡＭＰ-Ａと、外部スピーカ端子Ｏ３，Ｏ４用のＡＭＰ-Ｂを単独で設けている。この場合、信号処理部にて、これら２つのＡＭＰ-Ａ、ＡＭＰ-Ｂの動作を切り換えて使用する必要がある。
【００４１】
ハイパスフィルタＨＰＦ−Ａ，ＨＰＦ−ＢおよびローパスフィルタＬＰＦ−Ａ，ＬＰＦ−Ｂは、コイルＬ及びコンデンサＣの組み合わせで構成されるアナログフィルタである。ハイパスフィルタＨＰＦ−Ａ，ＨＰＦ−Ｂは、入力される音声信号のうち高音域成分を分離して通過させる。ローパスフィルタＬＰＦ−Ａ，ＬＰＦ−Ｂは、入力される音声信号のうち低音域成分を分離して通過させる。
【００４２】
つまり、比較例では、増幅器ＡＭＰの出力をスピーカ内部もしくは近傍に配したコイルＬ及びコンデンサＣの組み合わせで構成されるＬＣネットワーク（図６Ａ、６ＢではＬＰＦ−Ａ，ＬＰＦ−Ｂ，ＨＰＦ−Ａ，ＨＰＦ−Ｂ）でスピーカ毎の帯域に分離している。具体的には、上記ＬＣネットワークにより音声信号を高音域（高周波数）帯域と低音域（低周波数）帯域に分離し、この分離した音声信号のうち高音域帯域の音声信号をツィータＴ１，Ｔ２へ入力し、低音域帯域の音声信号をウーハーＷ１，Ｗ２へ入力している。
【００４３】
しかしながら、音声信号をハイパスフィルタや高音域帯域または低音域帯域に分離する際、遮断音域近傍（ネットワークで分離される帯域の端）においてコンデンサＣやコイルＬに起因する位相乱れが発生する。この位相乱れを低減させる手法の一つとして、スピーカ毎に個別のアンプを設けて音声信号を増幅するマルチアンプ方式がある。しかし、上記マルチアンプ方式を用いた場合であっても、音声信号の分離にＦＩＲ（Finite impulse response）に代表されるようなLinkwitz-Riley方式のフィルタを適用すると、合成波形のトランジェント特性（立ち上がりの特性）になまりが生じる。
【００４４】
図７Ａから図７Ｃは、Linkwitz-Riley方式のフィルタを適用した場合におけるトランジェント特性を示す図である。図７Ａは、ウーハーとツィータとの合成波形を示す図である。図７Ｂは、ウーハーの波形を示す図である。図７Ｃは、ツィータの波形を示す図である。Linkwitz-Riley方式のフィルタを適用した場合、図７Ｂ、図７Ｃに示すように、ウーハー、ツィータ共に波形の立ち上がりになまりが生ずる。このため、図７Ａに示すように、ウーハーとツィータとの合成波形においても、波形の立ち上がり（破線で囲んだ部分）になまりが生ずる。
【００４５】
一方、第１の実施形態に係る音声出力装置１０では、ＨＰＦやＬＰＦとしてLinear-Phase Filterを用いている。このため、合成波形のトランジェント特性（立ち上がりの特性）になまりが生じるのを効果的に抑制できる。
【００４６】
図８Ａから図８Ｃは、Linear-Phase Filter方式のフィルタを適用した場合におけるトランジェント特性を示す図である。図８Ａは、ウーハーとツィータとの合成波形を示す図である。図８Ｂは、ウーハーの波形を示す図である。図８Ｃは、ツィータの波形を示す図である。図８Ｂ、図８Ｃに示すように、ウーハー、ツィータ共に波形の立ち上がりにおけるなまりを効果的に抑制できる。このため、図８Ａに示すように、ウーハーとツィータとの合成波形においても、波形の立ち上がり（破線で囲んだ部分）におけるなまりを効果的に抑制できる。
【００４７】
なお、遮断特性（減衰特性）を十分にとるにはＦＩＲのｔａｐ数を増やす必要があった。しかし、近年音声用のＤＳＰ等のデジタルデバイスが高性能化していることから十分な遮断特性（減衰特性）が得られるｔａｐ数を有したＦＩＲを構築することが可能である。このため、Linear-Phase Filterをチャンネルデバイダーとして用いることが可能となった。
【００４８】
以上のように、第１の実施形態に係る音声出力装置１０は、増幅部１０７のＡＭＰ１０７ｂの後段で音声信号を分離して、一方をウーハーＷ１、Ｗ２へ入力し、他方を端子Ｏ１，Ｏ２へ入力している。このため、外部スピーカ用のアンプ（増幅器）を新たに必要としない。また、スピーカ部１０Ｂの接続を検知して、ツィータＴ１、Ｔ２へ入力される音声信号をミュート部１０６ｂでミュートすると共に、ＬＰＦ１０６ｆでのフィルタ処理をバイパスさせる。その結果、端子Ｏ１、Ｏ２に接続された外部スピーカからは、フィルタを介さない音声が出力され、外部スピーカの性能（特性）を活かすことができる。
【００４９】
さらに、スピーカ部１０ＢをＳＴＢ１０Ａに接続した状態では、端子Ｏ１、Ｏ２が接続部材１０Ｄにより覆われるため、外部スピーカを接続することができない。また、スピーカ部１０ＢをＳＴＢ１０Ａに接続していない状態では、端子Ｏ１、Ｏ２が露出するので外部スピーカを接続できる。このため、スピーカ部１０ｂと外部スピーカとが同時に接続されることがなく、ＡＭＰ１０７ｂの負荷を効果的に軽減できる（例えば、ＡＭＰ１０７ｂのドライブ負荷を軽減できる）。
【００５０】
さらに、第１の実施形態では、音声信号処理部１０６をＤＳＰで構成し、ハイパスフィルタＨＰＦ１０６ｅやローパスフィルタＬＰＦ１０６ｆとしてLinear-Phase Filterを用いている。このため、合成波形のトランジェント特性（立ち上がりの特性）になまりが生じるのを効果的に抑制できる。アナログフィルタを構成するＬＣネットワークは、最大でもー１８ｄＢ／ｏｃｔが限界であるが、この第１の実施形態に係る音声信号処理部１０６が具備するフィルタでは、図７Ａから図８Ｃを参照して説明したように遮断特性を急峻に設定できる。
【００５１】
このため各スピーカの遮断周波数近傍での相互干渉が低減できる。特に、低音域帯域の音声信号が入力された場合、破損する可能性のあるツィータ（Tweeter）では、音声信号の遮断特性を十分に取れるので、使用できる音声帯域を広く（遮断周波数の設定を低く）することができる。また、一般的には、遮断特性（減衰特性）を大きくした場合、遮断周波数近傍での位相のうねり（位相の回転）が増加する。このため、遮断周波数近傍での各スピーカの音のつながりが悪くなる傾向がある。しかし、この第１の実施形態では、Linear-Phase Filterを用いるので、遮断周波数近傍での急激な位相の回転（位相変化）を抑制できる。このため各スピーカ間の音のつながりを効果的に改善できる。
【００５２】
（その他の実施形態）
なお、本発明は上記実施形態そのままに限定されるものではなく、実施段階ではその要旨を逸脱しない範囲で構成要素を変形して具体化できる。例えば、第１の実施形態では、ウーハーＷ１、Ｗ２へ入力する音声信号を増幅するＡＭＰ１０７ｂを、外部スピーカと共用する構成としたが、ツィータＴ１、Ｔ２へ入力する音声信号を増幅するＡＭＰ１０７ａを外部スピーカと共用する構成としてもよい。この場合、ウーハーＷ１、Ｗ２への音声信号の入力系統にミュート部１０６ｂを配置する。そして、制御部１０６ａは、スピーカ部１０Ｂが接続されているかどうかに応じて、ミュート部１０６ｂおよびＨＰＦ１０６ｅを制御する。なお、制御方法については、図４で説明したので重複した説明を省略する。
【符号の説明】
【００５３】
１０…音声出力装置、２１…記憶再生装置、１０１…選局部、１０２…端子、１０３…Ｉ／Ｆ、１０４…分離部、１０５…デコード部、１０６…音声信号処理部、１０７…増幅部、１０８…リモコン受信部、１０９…リモートコントローラ（リモコン）。
【図１Ａ】
2011035529.tif 000003
【図１Ｂ】
2011035529.tif 000004
【図２Ａ】
2011035529.tif 000005
【図２Ｂ】
2011035529.tif 000006
【図３】
2011035529.tif 000007
【図４】
2011035529.tif 000008
【図５】
2011035529.tif 000009
【図６Ａ】
2011035529.tif 000010
【図６Ｂ】
2011035529.tif 000011
【図７Ａ】
2011035529.tif 000012
【図７Ｂ】
2011035529.tif 000013
【図７Ｃ】
2011035529.tif 000014
【図８Ａ】
2011035529.tif 000015
【図８Ｂ】
2011035529.tif 000016
【図８Ｃ】
2011035529.tif 000017
【手続補正書】
【提出日】平成22年8月20日(2010.8.20)
【手続補正１】
【補正対象書類名】明細書
【補正対象項目名】０００３
【補正方法】変更
【補正の内容】
【０００３】
【特許文献１】特開２００８−１５４０８４号公報
【手続補正書】
【提出日】平成22年11月19日(2010.11.19)
【手続補正１】
【補正対象書類名】特許請求の範囲
【補正対象項目名】全文
【補正方法】変更
【補正の内容】
【特許請求の範囲】
【請求項１】
外部スピーカを接続する端子を備えた本体部と、
前記本体部の前記端子とは異なる箇所へ着脱可能に接続され、前記本体部へ接続された状態で前記端子を覆って前記端子への前記外部スピーカの接続を防止するスピーカ部と、
音声信号を増幅して前記端子および前記スピーカ部へ入力する増幅部と、
を具備することを特徴とする音声出力装置。
【請求項２】
前記スピーカ部は、低音用スピーカおよび高音用スピーカを有し、
前記増幅部は、前記低音用スピーカへ入力する音声信号を増幅する第１の増幅器と、前記高音用スピーカへ入力する音声信号を増幅する第２の増幅器とを有し、
前記端子は、前記第１の増幅器または前記第２の増幅器の後段に設けられることを特徴とする請求項１に記載の音声出力装置。
【請求項３】
前記第１の増幅器へ入力する音声信号のうち高音域成分を通過させる第１のフィルタと、
前記第２の増幅器へ入力する音声信号のうち低音域成分を通過させる第２のフィルタと、
前記スピーカ部の接続状態に応じて、前記第１のフィルタまたは前記第２のフィルタの一方をオフする制御部と、
を有する音声信号処理部をさらに具備したことを特徴とする請求項２に記載の音声出力装置。
【請求項４】
前記スピーカ部の接続状態を設定する設定部をさらに具備し、
前記制御部は、
前記設定部での設定に基づいて、前記第１のフィルタまたは前記第２のフィルタの一方をオフすることを特徴とする請求項３に記載の音声出力装置。
【請求項５】
前記外部スピーカの接続状態を検知する検知部をさらに具備し、
前記制御部は、
前記検知部からの検知信号に基づいて、前記第１のフィルタまたは前記第２のフィルタの一方をオフすることを特徴とする請求項３に記載の音声出力装置。
【請求項６】
前記スピーカ部は、
前記本体部と着脱可能に接続される接続部材を含み、前記接続部材が、前記端子を覆うことを特徴とする請求項１に記載の音声出力装置。